(57)【要約】無線通信ネットワークにおいて第１の無線デバイスの送信フォーマットを選択するための方法およびシステムが提供される。１つの観点によれば、送信フォーマットを選択するための方法は、該第１の無線デバイスの速度を決定すること、該第１の無線デバイスの該速度に基づいて送信フォーマットを選択すること、を含む。【選択図】図５
2018528704.tif 000002
【特許請求の範囲】
【請求項１】
無線通信ネットワークにおいて第１の無線デバイス（６ａ）の送信フォーマットを選択する無線デバイスにおいて使用される方法であって、
前記第１の無線デバイス（６ａ）の速度を決定すること（Ｓ１００）と、
前記第１の無線デバイス（６ａ）の前記速度に基づいて、前記第１の無線デバイス（６ａ）に対する送信フォーマットを選択すること（Ｓ１０２）、を含む、方法。
【請求項２】
前記選択された送信フォーマットを用いてメッセージまたはデータパケットを送信すること（Ｓ１０３）、を更に含む請求項１に記載の方法。
【請求項３】
前記送信すること（Ｓ１０３）は、通信すること、ブロードキャストすること、および、直接通信すること、のいずれか１つである、請求項２に記載の方法。
【請求項４】
前記第１の無線デバイス（６ａ）の前記速度は、前記第１の無線デバイス（６ａ）の絶対速度である、請求項１に記載の方法。
【請求項５】
前記第１の無線デバイス（６ａ）の前記速度に基づいて送信フォーマットを選択すること（Ｓ１０２ａ）は、前記第１の無線デバイス（６ａ）の前記絶対速度に基づいて送信フォーマットを選択することを含む、請求項１から４のいずれか１項に記載の方法。
【請求項６】
前記第１の無線デバイス（６ａ）の前記決定した（Ｓ１００ｂ）速度に基づいて、前記第１の無線デバイス（６ａ）と第２の無線デバイス（６ｂ）との間の相対速度を決定すること（Ｓ１０１）を更に含む、請求項１から３のいずれか１項に記載の方法。 
【請求項７】
前記第１の無線デバイス（６ａ）の前記速度に基づいて送信フォーマットを選択すること（Ｓ１０２ｂ）は、前記相対速度に基づいて送信フォーマットを選択することを含む、請求項６に記載の方法。
【請求項８】
前記決定された（Ｓ１０１ａ）相対速度は、前記第１の無線デバイス（６ａ）の前記速度にオフセット速度を加えたものである、請求項６または７に記載の方法。
【請求項９】
前記決定された（Ｓ１０１ｂ）相対速度は、定数に前記第１の無線デバイス（６ａ）の前記速度を掛け合わせたものである、請求項６または７に記載の方法。
【請求項１０】
前記相対速度の決定（Ｓ１０１ｃ）は、送信の種類に依存する、請求項６または７に記載の方法。
【請求項１１】
前記送信の種類がポイント・ツー・マルチポイント送信である場合、前記相対速度の決定（Ｓ１０１ｃ）は、前記第１の無線デバイス（６ａ）の速度に、前記第２の無線デバイス（６ｂ）を含む１つ以上の他の無線デバイスの所定の速度に基づくオフセットを加えたものに対応する、請求項１０に記載の方法。
【請求項１２】
前記送信フォーマットの前記選択（Ｓ１０２）は、前記第１の無線デバイス（６ａ）により提供されるアプリケーションまたはサービスに更に基づく、請求項１から１１のいずれか１項に記載の方法。
【請求項１３】
前記送信フォーマットは、規則または表（１２）の少なくとも一方により選択される（Ｓ１０２）、請求項１から１２のいずれか１項に記載の方法。
【請求項１４】
前記送信フォーマットの前記選択（Ｓ１０２）は、将来の送信のパケットサイズに更に基づく、請求項１から１３のいずれか１項に記載の方法。 
【請求項１５】
前記送信フォーマットの前記選択（Ｓ１０２）は、前記第１の無線デバイス（６ａ）のキャリア周波数に更に基づく、請求項１から１４のいずれか１項に記載の方法。
【請求項１６】
前記送信フォーマットの前記選択は、前記第１の無線デバイス（６ａ）と、第２の無線デバイス（６ｂ）以外の第３の無線デバイス（６ｃ）の一方により直接的に得られた無線測定値に更に基づく、請求項１から１５のいずれか１項に記載の方法。
【請求項１７】
前記選択された送信フォーマットは、トランスポートブロックサイズ、送信されるパケットのサイズ、変調および符号化方法、物理リソースの量、リソースブロックの数、送信サブフレームの数、再送の数、およびアンテナマッピング、のうちの少なくとも１つである、請求項１から１６のいずれか１項に記載の方法。
【請求項１８】
前記第１の無線デバイス（６ａ）は、車両、車両の一部、および車両におけるもの、のいずれか１つである、請求項１から１７のいずれか１項に記載の方法。
【請求項１９】
前記無線通信ネットワークは、デバイス間（Ｄ２Ｄ）通信ネットワークである、請求項１から１８のいずれか１項に記載の方法。
【請求項２０】
無線通信ネットワークにおいて使用するための第１の無線デバイスであって、前記第１の無線デバイス（６ａ）は送信フォーマットを選択するように構成され、
前記第１の無線デバイス（６ａ）の速度を決定し、
前記第１の無線デバイス（６ａ）の前記速度に基づいて、前記第１の無線デバイス（６ａ）に対する送信フォーマットを選択する、
ように構成された処理回路（７）を有する、第１の無線デバイス。
【請求項２１】
前記選択された送信フォーマットを用いてメッセージまたはデータパケットを送信するように構成された送信器（１０ａ−１）を更に有する、請求項２０に記載の第１の無線デバイス。
【請求項２２】
前記第１の無線デバイス（６ａ）の前記速度は、前記第１の無線デバイス（６ａ）の絶対速度である、請求項２０に記載の第１の無線デバイス。
【請求項２３】
前記第１の無線デバイス（６ａ）の前記速度に基づいて送信フォーマットを選択することは、前記第１の無線デバイス（６ａ）の絶対速度に基づいて送信フォーマットを選択することを含む、請求項２０から２２のいずれか１項に記載の第１の無線デバイス。
【請求項２４】
前記処理回路（７）は、前記第１の無線デバイス（６ａ）と、前記第１の無線デバイス（６ａ）が前記第１の無線デバイス（６ａ）の前記速度に基づいて通信する第２の無線デバイス（６ｂ）との間の相対速度を決定するように更に構成される、請求項２０または２１に記載の第１の無線デバイス。
【請求項２５】
前記第１の無線デバイス（６ａ）の前記速度に基づいて送信フォーマットを選択することは、前記相対速度に基づいて送信フォーマットを選択することを含む、請求項２４に記載の第１の無線デバイス。
【請求項２６】
前記相対速度は、前記第１の無線デバイス（６ａ）の前記速度にオフセット速度を加えたものである、請求項２４または２５に記載の第１の無線デバイス。 
【請求項２７】
前記相対速度は、定数に前記第１の無線デバイス（６ａ）の前記速度を掛け合わせたものである、請求項２４または２５に記載の第１の無線デバイス。
【請求項２８】
前記相対速度の決定は、送信の種類に依存する、請求項２４または２５に記載の第１の無線デバイス。
【請求項２９】
前記送信の種類がポイント・ツー・マルチポイント送信である場合、前記相対速度の決定は、前記第１の無線デバイス（６ａ）に、少なくとも第２の無線デバイス（６ｂ）の所定の最大速度に基づくオフセットを加えたものに対応する、請求項２８に記載の第１の無線デバイス。
【請求項３０】
前記送信フォーマットの前記選択は、前記第１の無線デバイス（６ａ）により提供されるアプリケーションまたはサービスに更に基づく、請求項２０から２９のいずれか１項に記載の第１の無線デバイス。
【請求項３１】
前記送信フォーマットは、規則または表（１２）の少なくとも一方により選択される、請求項２０から３０のいずれか１項に記載の第１の無線デバイス。
【請求項３２】
前記送信フォーマットの前記選択は、将来の送信のパケットサイズに更に基づく、請求項２０から３１のいずれか１項に記載の第１の無線デバイス。 
【請求項３３】
前記送信フォーマットの前記選択は、前記第１の無線デバイス（６ａ）のキャリア周波数に更に基づく、請求項２０から３１のいずれか１項に記載の第１の無線デバイス。
【請求項３４】
前記送信フォーマットの前記選択は、前記第１の無線デバイス（６ａ）と、第２の無線デバイス（６ｂ）以外の第３の無線デバイス（６ｃ）の一方により直接的に得られた無線測定値に更に基づく、請求項２０から３３のいずれか１項に記載の第１の無線デバイス。
【請求項３５】
前記選択された送信フォーマットは、トランスポートブロックサイズ、送信されるパケットのサイズ、変調および符号化方法、物理リソースの量、リソースブロックの数、送信サブフレームの数、再送の数、およびアンテナマッピング、のうちの少なくとも１つである、請求項２０から３４のいずれか１項に記載の第１の無線デバイス。
【請求項３６】
前記無線通信ネットワークは、デバイス間（Ｄ２Ｄ）通信ネットワークである、請求項２０から３５のいずれか１項に記載の第１の無線デバイス。
【請求項３７】
前記第１の無線デバイス（６ａ）は、車両、車両の一部、および車両におけるもの、のいずれか１つである、２０から３６のいずれか１項に記載の第１の無線デバイス。
【請求項３８】
送信フォーマットを選択するように構成された無線通信ネットワークにおいて使用するための第１の無線デバイスであって、前記第１の無線デバイス（６ａ）は送信フォーマットを選択するように構成され、
前記第１の無線デバイス（６ａ）の速度を決定するように構成された速度決定モジュール（２６）と、
前記第１の無線デバイス（６ａ）の前記速度に基づいて送信フォーマットを選択するように構成された送信フォーマット選択モジュール（３０）とを有する、第１の無線デバイス。
【請求項３９】
前記第１の無線デバイス（６ａ）の前記速度に基づいて送信フォーマットを選択することは、前記第１の無線デバイス（６ａ）の絶対速度に基づいて送信フォーマットを選択することを含む、請求項３８に記載の第１の無線デバイス。
【請求項４０】
前記第１の無線デバイス（６ａ）と、前記第１の無線デバイス（６ａ）が前記第１の無線デバイス（６ａ）の前記速度に基づいて通信する第２の無線デバイス（６ｂ）との間の相対速度を決定するように構成された相対速度決定モジュール（２８）を更に有する、請求項３８に記載の第１の無線デバイス。
【請求項４１】
前記第１の無線デバイス（６ａ）の前記速度に基づいて送信フォーマットを選択することは、前記相対速度に基づいて送信フォーマットを選択することを含む、請求項４０に記載の無線デバイス。
【請求項４２】
前記無線通信ネットワークは、デバイス間（Ｄ２Ｄ）通信ネットワークである、請求項３８から４１のいずれか１項に記載の無線デバイス。
【発明の詳細な説明】
【技術分野】
【０００１】
本開示は、無線通信に関し、特に、車両の参加を伴う無線通信ネットワークのリソース管理を提供するために、車両用送信に対する速度依存の送信フォーマットのための方法およびデバイスに関する。
【背景技術】
【０００２】
２０２０年までに、搭載されたカメラとセンサ技術を介して毎年１億６３００万テラバイトのデータ以上のデータを生成する、無線接続性内蔵の自動運転車両が年に３３００万販売されると予測されている。無線ネットワークにわたって共有される場合、このデータは、車両により利用され、それらのセンサの到達を超えた道路のコンディションの意識をそれらに与える。そして、それにより、運転手または車両自身がより良い計画で運転操作を行うことが可能となる。車両間（Ｖ２Ｖ（Vehicle to Vehicle））通信は、互いに「話す（talk）」することを自動車に許容するように設計されたデバイス間（Ｄ２Ｄ（device to device））無線技術のサブセットである。
【０００３】
デバイス間（Ｄ２Ｄ）および車両間（Ｖ２Ｖ）通信の１つの構成を図１に示す。ここでは、３つの車両１、２、３が互いに通信し、また、別の無線デバイス５との通信する状態にあるＬＴＥ基地局４等の基地局との通信を行い得る。
【０００４】
ロングタームエヴォリューション（ＬＴＥ）無線通信規格のリリース１２は、商用および公的な安全性のアプリケーションを目的としたデバイス間（Ｄ２Ｄ）通信の特徴をサポートするように拡張されている。Ｒｅｌ−１２  ＬＴＥにより可能ないくつかのアプリケーションは、デバイスディスカバリを含み、これにより、デバイスはデバイスとアプリケーションの識別子を伝達するディスカバリメッセージをブロードキャストし検出することにより、別のデバイスの近接と関連するアプリケーションを検知することが可能となる。別のアプリケーションは、直接にデバイス間で終結する物理チャネルに基づく直接通信で構成される。
【０００５】
デバイス間通信に対する１つの潜在的な拡張は、Ｖ２ｘ通信（車両対「何か」）のサポートを含む。ここで、「ｘ」は、車両、歩行者、インフラストラクチャ間の直接通信のあらゆる組み合わせを含む。Ｖ２ｘ通信は、前方衝突の警告、待ち行列の警告、弱い道路利用者の警報、通行禁止の警告、カーブ速度の警告、見通しの悪い交差点の警告、緊急車両の警報等を可能とし得る。
【０００６】
Ｖ２ｘ通信は、非安全性および安全性の情報を伝達し得る。ここで、アプリケーションおよびサービスのそれぞれは、特定の要件と関連付けられ得る。例えば、遅延、信頼性、容量等である。ヨーロッパ電気通信標準協会（ＥＴＳＩ）は、道路の安全性に対する２つの種類のメッセージを定義した。ＣＡＭ（Co-operative Awareness Message）とＤＥＮＭ（Decentralized Environmental Notification Message）である。
【０００７】
ＣＡＭ：ＣＡＭ（Co-operative Awareness Message）は、緊急車両を含む車両に、ブロードキャストの方式でそれらの存在と他の関連するパラメータを通知させることが意図されている。そのようなメッセージは、他の車両、歩行者、およびインフラストラクチャをターゲットとし、それらのアプリケーションにより処理される。ＣＡＭメッセージはまた、通常のトラフィックに対する安全運転へのアクティブな支援として機能する。ＣＡＭメッセージの利用可能性は、１００ｍｓ毎に確認され、多くのメッセージに対する１００ｍｓ以下の最大検出遅延の要件に従う。すなわち、ＣＡＭは、１００ｍｓ以下でなければならない。しかしながら、衝突前のセンシングの警告に対する遅延の要件は５０ｍｓである。
【０００８】
ＤＥＮＭ：ＤＥＮＭ（Decentralized Environmental Notification Message）は、ブレーキ等によるイベントでトリガされる。ＤＥＮＭメッセージの利用可能性はまた、１００ｍｓ毎に確認され、最大遅延の要件は１００ｍｓ以下である。
【０００９】
ＣＡＭメッセージとＤＥＮＭメッセージのパッケージサイズは、１００＋から８００＋バイトで変動し、典型的なサイズは約３００バイトである。メッセージは、近接した全ての車両により検出されるようにサポートされる。ＳＡＥ（自動車技術者協会）はまた、定義された種々のメッセージサイズを伴う個別近距離通信（ＤＳＲＣ）に対する基本安全メッセージ（ＢＳＭ）を定義した。メッセージの重要性および緊急性によれば、ＢＳＭは更に、異なる優先度に分けられる。
【００１０】
リンクアダプテーションは、所与の伝搬条件に対してリンクスペクトル効率を最大化するために使用される。典型的なリンクアダプテーションプロトコルは、閉ループである。すなわち、それらは、送信デバイスからの送信信号の受信デバイスにおける、ある測定値、および、受信デバイスから送信デバイスへのチャネル品質インデックス（ＣＱＩ）フィードバックまたは推奨された送信フォーマット等の、あるシグナリングに基づく。
【００１１】
Ｖ２ｘシナリオでは、動的リンクアダプテーションに対する閉ループプロトコルを確立することは、しばしば実行困難となり得る。その理由は、多くのＶ２ｘトポロジーが１対多であり、フィードバック負荷が大き過ぎる、という事実を含む。別の理由は、多くのＶ２ｘサービスは、非常に低い遅延を必要とし、実際のフィードバックプロトコルにより発生する遅延と不適合であることである。
【００１２】
したがって、受信器からのフィードバックに基づいたＶ２ｘ通信においてリンクアダプテーションを実行することは、非実際的である。
【発明の概要】
【００１３】
いくつかの実施形態は、無線通信ネットワークにおいて第１の無線デバイスの送信フォーマットを選択するための方法およびシステムを有利に提供する。１つの観点によれば、無線通信ネットワークにおける第１の無線デバイスの送信フォーマットを選択する無線デバイスにおいて使用される方法であって、該方法は、該第１の無線デバイスの速度を決定することと、該第１の無線デバイスの該速度に基づいて該第１の無線デバイスに対する送信フォーマットを選択することを含む。
【００１４】
この観点によれば、いくつかの実施形態において、該方法は更に、該選択した送信フォーマットを用いてメッセージまたはデータパケットを送信することを含む。いくつかの実施形態では、該送信することは、通信すること、ブロードキャストすること、直接通信すること、のいずれか１つである。いくつかの実施形態では、該第１の無線デバイスの該速度は、該第１の無線デバイスの絶対速度である。いくつかの実施形態では、該第１の無線デバイスの該速度に基づいて送信フォーマットを選択することは、該第１の無線デバイスの該絶対速度に基づいて送信フォーマットを選択することを含む。いくつかの実施形態では、該方法は更に、該第１の無線デバイスと、該第１の無線デバイスが該第１の無線デバイスの該決定された速度に基づいて通信する第２の無線デバイスとの相対速度を決定することを含む。いくつかの実施形態では、該第１の無線デバイスの該速度に基づいて送信フォーマットを選択することは、該相対速度に基づいて送信フォーマットを選択することを含む。いくつかの実施形態では、該決定された相対速度は、該第１の無線デバイスの該速度にオフセット速度を加えたものである。いくつかの実施形態では、該決定された相対速度は、定数に該第１の無線デバイスの該速度を掛け合わせたものである。いくつかの実施形態では、該相対速度の決定は、送信の種類に依存する。いくつかの実施形態では、該送信の種類がポイント・ツー・マルチポイント送信である場合、該相対速度の決定は、該第１の無線デバイスに、該第２の無線デバイスを含む１つ以上の他の無線デバイスの所定の速度に基づくオフセットを加えたものに対応する。いくつかの実施形態では、該送信フォーマットの該選択は、該第１の無線デバイスにより提供されるアプリケーションまたはサービスに更に基づく。いくつかの実施形態では、該送信フォーマットは、規則または表の少なくともいずれか一方により選択される。いくつかの実施形態では、該送信フォーマットの該選択は、将来の（prospective）送信のパケットサイズに更に基づく。いくつかの実施形態では、該送信フォーマットの該選択は、該第１の無線デバイスのキャリア周波数に更に基づく。いくつかの実施形態では、該送信フォーマットの該選択は、該第１の無線デバイスと、第２の無線デバイス以外の第３の無線デバイスの一方により直接的に得られた無線測定（値）に更に基づく。いくつかの実施形態では、該選択された送信フォーマットは、トランスポートブロックサイズ、送信されるパケットのサイズ、変調および符号化方法、物理リソースの量、リソースブロックの数、送信サブフレームの数、再送の数、およびアンテナマッピング、のうちの少なくとも１つである。いくつかの実施形態では、該第１の無線デバイスは、車両、車両の一部、および車両におけるもの、のいずれか１つである。いくつかの実施形態では、該無線通信ネットワークは、デバイス間通信ネットワークである。
【００１５】
別の観点によれば、無線通信ネットワークにおいて使用するための第１の無線デバイスが提供される。該第１の無線デバイスは、送信フォーマットを選択するように構成され、該第１の無線デバイスは、該無線デバイスの速度を決定し、該無線デバイスの該速度に基づいて該第１の無線デバイスに対する送信フォーマットを選択するように構成された処理回路を有する。
【００１６】
この観点によれば、いくつかの実施形態では、送信器は、該選択された送信フォーマットを用いてメッセージまたはデータパケットを送信するように構成される。いくつかの実施形態では、該第１の無線デバイスの該速度は、該第１の無線デバイスの絶対速度である。いくつかの実施形態では、該第１の無線デバイスの該速度に基づいて送信フォーマットを選択することは、該第１の無線デバイスの該絶対速度に基づいて送信フォーマットを選択することを含む。いくつかの実施形態では、該処理回路は、該第１の無線デバイスと、該第１の無線デバイスが該第１の無線デバイスの該速度に基づいて通信する第２の無線デバイスとの間の相対速度を決定するように更に構成される。いくつかの実施形態では、該第１の無線デバイスの該速度に基づいて送信フォーマットを選択することは、該相対速度に基づいて送信フォーマットを選択することを含む。いくつかの実施形態では、該相対速度は、該第１の無線デバイスの該速度にオフセット速度を加えたものである。 いくつかの実施形態では、該相対速度は、定数に該第１の無線デバイスの該速度を掛け合わせたものである。いくつかの実施形態では、相対速度の決定は、送信の種類に依存する。いくつかの実施形態では、該送信の種類がポイント・ツー・マルチポイント送信である場合、該相対速度の決定は、該第１の無線デバイスの該速度に、少なくとも第２の無線デバイスの所定の最大速度に基づくオフセットを加えたものに対応する。いくつかの実施形態では、該送信フォーマットの該選択は、該第１の無線デバイスにより提供されるアプリケーションまたはサービスに更に基づく。いくつかの実施形態では、該送信フォーマットは、規則または表の少なくともいずれか一方により選択される。いくつかの実施形態では、該送信フォーマットの該選択は、将来の送信のパケットサイズに更に基づく。いくつかの実施形態では、該送信フォーマットの該選択は、該第１の無線デバイスのキャリア周波数に更に基づく。いくつかの実施形態では、該送信フォーマットの該選択は、該第１の無線デバイスと、第２の無線デバイス以外の第３の無線デバイスの一方により直接的に得られた無線測定（値）に更に基づく。いくつかの実施形態では、該選択された送信フォーマットは、トランスポートブロックサイズ、送信されるパケットのサイズ、変調および符号化方法、物理リソースの量、リソースブロックの数、送信サブフレームの数、再送の数、およびアンテナマッピング、のうちの少なくとも１つである。いくつかの実施形態では、該無線通信ネットワークは、デバイス間（Ｄ２Ｄ）通信ネットワークである。いくつかの実施形態では、該第１の無線デバイスは、車両、車両の一部、および車両におけるもの、のいずれか１つである。
【００１７】
更に別の観点によれば、いくつかの実施形態では、無線通信ネットワークにおいて使用するための第１の無線デバイスであって、送信フォーマットを選択するように構成された第１の無線デバイスが提供される。該第１の無線デバイスは、該無線デバイスの速度を決定するように構成された速度決定モジュールと、該第１の無線デバイスの該速度に基づいて送信フォーマットを選択するように構成された送信フォーマット選択モジュールを有する。
【００１８】
この観点によれば、該第１の無線デバイスの該速度に基づいて送信フォーマットを選択することは、該第１の無線デバイスの絶対速度に基づいて送信フォーマットを選択することを含む。
【００１９】
この観点に更によれば、いくつかの実施形態では、該第１の無線デバイスは、該第１の無線デバイスと、該第１の無線デバイスが該第１の無線デバイスの該速度に基づいて通信する第２の無線デバイスとの間の相対速度を決定するように構成された相対速度決定モジュールを有する。いくつかの実施形態では、該第１の無線デバイスの該速度に基づいて送信フォーマットを選択することは、該相対速度に基づいて送信フォーマットを選択することを含む。いくつかの実施形態では、該無線通信ネットワークは、デバイス間（Ｄ２Ｄ）通信ネットワークである。
【図面の簡単な説明】
【００２０】
添付の図面と併せて検討される際に以下の詳細な説明を参照することにより、本実施形態のより完全な理解、および、その付随する利点および特徴が、容易に理解されるだろう。
【図１】図１は、デバイス間および車両間通信を含む無線通信システムのブロック図である。
【図２】図２は、説明した原理にしたがって構成された無線通信システムのブロック図である。
【図３】図３は、速度依存の送信フォーマットを決定するように構成された無線デバイスのブロック図である。
【図４】図４は、速度依存の送信フォーマットを決定するように構成された無線デバイスの別のブロック図である。
【図５】図５は、速度依存の送信フォーマットを選択するための例示的な処理の第１のフローチャートである。
【図６】図６は、速度依存の送信フォーマットを選択するための例示的な処理の第２のフローチャートである。
【図７】図７は、速度依存の送信フォーマットを選択するための例示的な処理の第３のフローチャートである。
【発明を実施するための形態】
【００２１】
詳細な例示的な実施形態を説明する前に述べておくことは、実施形態は、車両が参加する無線通信ネットワークのリソース管理を提供するために、車両の送信に対する速度依存の送信フォーマットと関連する装置の構成要素と処理ステップの組み合わせにおいて主に属することである。したがって、構成要素は、図面において従来のシンボルにより適切に表わせられ、説明の利益を有する当業者にとって容易に明らかとなる詳細を有する開示を曖昧にしないように、実施形態の理解に関する、特定の詳細のみを示す。
【００２２】
ここで使用される、「第１」および「第２」、「上部」および「下部」等の関係の用語は、エンティティまたはエレメントを別のエンティティまたはエレメントから単に区別するために、そのようなエンティティまたはエレメント間のあらゆる物理的または論理的な関係や順序を必ずしも必要とせずまたは暗示せずに、用いられる。
【００２３】
Ｖ２ｘ通信は、利用可能であるが、基本的なＶ２ｘ通信の接続性が、ネットワークカバレッジが不足している場合であっても、可能であるべき場合、ネットワーク（ＮＷ）インフラストラクチャを活用し得る。ＬＴＥベースのＶ２ｘインタフェースが提供されることにより、ＬＴＥの規模の経済から、経済的な利点が得られる。また、ネットワークインフラストラクチャ（Ｖ２Ｉ（車両対インフラストラクチャ））通信、車両対歩行者（Ｖ２Ｐ）通信、Ｖ２Ｖ通信との通信の間のより密な統合が可能となり得る。
【００２４】
いくつかの実施形態は、場合によっては他のパラメータから、送信する車両の速度または同等の移動メトリックを考慮して、開ループリンクアダプテーションを適合化することを含む。実施形態は、最適な送信フォーマットを適応的に選択することにより、提案された解決策と比較して、著しく改善されたシステムレベルの性能をもたらす。よって、リンク上のスペクトル効率を最適化することができる。ここで使用されるような「選択する（ｓｅｌｅｃｔｉｎｇ）」と「選択する（ｃｈｏｏｓｉｎｇ）」は、同じ意味を有するものと意図される。
【００２５】
実施形態は、Ｄ２Ｄ通信（ときに、サイドリンク、ピア・ツー・ピア、またはＰｒｏＳｅと呼ばれる）と、特にＶ２Ｖ通信に関して説明される、しかしながら、ここに説明される実施形態のいくつかは、例えば、Ｖ２ＩとＶ２Ｐを含み、また、いくつかのデバイスから中央制御ノードへのアップリンクを含む、あらゆる種類のノード間の通信に適用可能である。図２は、インターネットおよび／または公衆交換電話ネットワークであり得る、バックホールまたはコアネットワーク１３と通信するモビリティ管理エンティティ（ＭＭＥ）等のネットワークノード１１を含む無線通信システム１５を示す。ネットワークノード１１は、集合的にここでは無線デバイス６と称する無線デバイス６ａ、６ｂ、６ｃに対してサービスを提供する、集合的にここでは基地局４と称する１つ以上の基地局４ａと４ｂと通信している。
【００２６】
図２は、３つの無線デバイスのみを示すが、２つより多い無線デバイスが想定される。いくつかの実施形態では、第１の無線デバイス６ａは、直接的に第２の無線デバイス６ｂと通信する一方、無線デバイス６ｃ等の他の無線デバイスから測定値を受信する。各無線デバイス６は、以下に説明するように機能する、集合的にここでは速度決定器１４と称する速度決定器１４ａまたは１４ｂを有する。各無線デバイス４ａと４ｂはそれぞれ、ここでは集合的に送受信器１０と称する送受信器１０ａと１０ｂを有し得る。送受信器１０ａは、送信器１０ａ−１と受信器１０ａ−２を有する。送受信器１０ｂは、送信器１０ｂ−１と受信器１０ｂ−２を有する。送受信器１０ｂは、個別の送信器要素と受信器要素として実装することも可能であることが理解される。
【００２７】
ここで使用される無線デバイスまたは移動端末という用語は、基地局４等のネットワークノードと通信する、セルラまたは移動通信システムにおける別の無線デバイスと通信する、あらゆる種類の無線デバイス６を参照する。無線デバイス６の例は、ユーザ装置（ＵＥ）、ターゲットデバイス、デバイス間（Ｄ２Ｄ）無線デバイス、Ｖ２ｘ無線デバイス、マシーンタイプ無線デバイス、またはマシーン間（Ｍ２Ｍ）通信が可能なマシーンタイプの無線デバイスまたは無線デバイス、ＰＤＡ、タブレット、スマートフォン、ラップトップ組み込み装置（ＬＥＥ）、ラップトップ搭載装置（ＬＭＥ）、ＵＳＢ、ドングル等である。
【００２８】
無線基地局（ＲＢＳ）等の基地局の用語は、ときに、使用される技術や専門用語に依存して、進化型ノードＢである「ｅＮＢ」、「ｅＮｏｄｅＢ」、「ＮｏｄｅＢ」、「Ｂノード」、または、ＢＴＳ（基地局）が参照され得る。基地局は、送信電力、および、それによるセルサイズにも基づいて、マクロｅＮｏｄｅＢ、ホームｅＮｏｄｅＢ、またはピコ基地局といった異なるクラスのものであり得る。セルは、地理的なエリアであり、無線カバレッジは、基地局のサイトにおける基地局４により提供される。基地局サイトに位置する１つの基地局４は、１つまたはいくつかのセルに対してサービスを提供し得る。さらに、各基地局は、１つまたはいくつかの通信技術をサポートし得る。基地局４は、当該基地局の範囲内で、無線デバイス６と無線周波数上で動作するエアインタフェースを介して通信を行う。本開示の文脈では、ダウンリンク（ＤＬ）は、基地局４から無線デバイス６への送信パスを参照する。アップリンク（ＵＬ）は、反対の方向、すなわち、無線デバイス６から基地局４への送信パスを参照する。
【００２９】
３ＧＰＰ  ＬＴＥでは、基地局４は、１つ以上のコアネットワーク１３と直接に接続し得る。更に、実施形態は、基地局４を参照して説明されるが、実施形態は、基地局の種類のあらゆる適切なネットワークノードにおいて、またはそれに渡って実装することが可能であることが理解される。
【００３０】
Ｄ２Ｄ通信は、現在、Ｖ２Ｖ通信システムを技術的に実現するものとして、検討および規格化の状態にある。１対多のＤ２Ｄ通信を確立することにより、制御情報メッセージの管理に対するチャレンジがもたらされる。特に、データパケットを受信するデバイスの全ての復号器は、データパケットを符号化するために使用されたパラメータの少なくともいくつか（例えば、時間−周波数リソース等）を把握すべきである。１つの一般的に採用された解決策では、送信器は、関連付けられた制御情報の一部として、データパケットを送信するために使用されたパラメータについて、（例えば、スケジューリング割り当て（ＳＡ）を用いて）全ての受信器に明示的に通知する必要がある。
【００３１】
本開示では、送信器における最も適切な送信フォーマットをどのように選択するかを決定するための構成を提供する。無線システムにおいてしばしば採用された従来のリンクアダプテーション技術は、受信器における測定およびノード間のいくらかのシグナリングにおいて、優位性をもつ。しかしながら、これは、１対多の送信における遅延とシグナリングオーバーヘッドにより、Ｖ２ｘ通信に対しては実現困難である。したがって、いくつかの実施形態は、対象の受信器から取得した情報に依存することなく、送信器において利用可能な情報のみに基づいた送信フォーマットを明示的に選択することにより、リンクアダプテーションを実行する。
【００３２】
「最適な」送信フォーマットは、例えば、送信する所与のメッセージに対する範囲、遅延等の無線要件を満たしながら、例えば、帯域、時間、送信されるエネルギー、リソースブロックまたは再送の数等最小の量の無線リソースを利用する送信フォーマットとして定義され得る。実際のシステムでは、最適なフォーマットは、サポートするフォーマット、および、あらゆる他のシステムまたは実装関連の制約に制限される。リンクアダプテーションの目的は、利用可能な情報および能力に基づいて、最適なものとできるだけ近い送信フォーマットを選択することである。
【００３３】
なお、最適な送信フォーマットは、非限定的な、以下を含む異なるパラメータの関数である。
・送信するパケットのサイズ、および他のトラフィック関連の制約または要件（パケットの受信器、予想されるパケットの範囲、許容可能な遅延等）。
パス損失とフェージングエフェクト等、送信器と受信器の間の相対的移動性の影響を含む、送信器と受信器の間の無線チャネルの伝搬特性。
・受信器における達成可能な信号対干渉雑音比（ＳＩＮＲ）に影響を与える、システムにおける干渉のレベル。
【００３４】
送信するパケットのサイズと、特定の他のトラフィック関連の制約または要件は、送信器において明確に知られている。他の観点は、送信器と受信器の間の伝搬と無線条件に関連し、受信器において実行されるフィードバックチャネル報告測定が導入されない限り、一般的には送信器において知られていない。いくつかの実施形態では、フィードバックチャネルに依存するよりむしろ、受信器において移動性を推定することが、送信器と受信器との間のチャネルを推定することに代わって実行され得る。
【００３５】
いくつかの実施形態は、以下のための方法および構成を含む。
・受信器からの情報に依存することなく、送信器において利用可能な情報に単に基づいて送信器と受信器の間の無線チャネルの、移動性、無線および／または伝搬特性を推定すること。
・移動性の情報とパケットの特徴（例えば、送信されるパケットのサイズおよび他のトラフィック関連の制約や要件）に基づく最適または最も適切な送信フォーマットを選択すること。これらの特性、例えば、干渉、ネットワーク負荷等は、第１の無線デバイスにより直接的に取得されるか、基地局等の（対象の受信器以外の）他の無線デバイスにより取得されて第１の無線デバイスに報告される。 
・例えば直接的に通信することや、選択した送信フォーマットを用いてパケットをブロードキャストすること等の通信を行うことにより送信すること。送信フォーマットは、トランスポートブロックサイズ、送信されるパケットのサイズ、変調および符号化方法（ＭＣＳ）、アンテナマッピング、および／または、リソースブロック（ＲＢ）の数、リソースブロックの割り当て、送信サブフレームの数および／または再送の数等の使用される物理リソースの量を含み得る。典型的には、再送の数、すなわち、パケットの送信が繰り返される回数は、２倍である。
【００３６】
実施形態は、送信器１０ａ−１における移動性の測定に基づいて、第１の無線デバイス６ａの送信器１０ａ−１と第２の無線デバイス６ｂの受信器１０ｂ−２との間の移動性を推定し、送信器の絶対速度または第１と第２の無線デバイス６ａ、６ｂの間の相対速度にも更に基づき得る。１つの例では、第１の無線デバイス６ａの送信器１０ａ−１は、自身の速度についての情報を、例えば、グローバルポジショニングシステム（ＧＰＳ）受信器、無線デバイスを運搬する車両内の測定、加速度計または同様のデバイス、三辺測量を含む無線測定、Ｖ２ｘパケットからの読み込み情報または他の方法を用いて、取得する。送信器の速度に関する情報に基づいて、送信器は、送信器と受信器との間の相対速度を推定し得る。
【００３７】
例えば、第２の無線デバイスが動かない、または、第２の無線デバイスの速度が既知でないケースがあり得る。１つの例では、いくつかのケースではＶ２Ｘデバイスである無線デバイス６の相対速度の推定は、単純に、送信器の速度自体とすることが可能である。すなわち、相対速度は、無線デバイス６の絶対速度とみなされ得る。別の例では、相対速度は、無線デバイス６の絶対速度の２倍や、無線デバイスの絶対速度のいくらかの他の乗算係数を掛け合わせたものと想定される。更なる例では、相対速度は、無線デバイス６の絶対速度に特定のオフセットを加えたものと推定される。上述の相対速度の決定方法、並びに、オフセットは、送信の種類およびサービスの関数であり得る。例えば、ポイント・ツー・ポイントの手法で、配備されたノードへ送信を行う際、推定された相対速度は、無線デバイス６の絶対速度に対応し得る。別の例として、ポイント・ツー・マルチポイントの手法で、無線デバイスへ送信を行う際、推定された相対速度は、無線デバイスの絶対速度に、他の無線デバイスの合理的な最大速度を反映したオフセットを加えたものに対応し得る。合理的な最大速度は、利用可能な速度の限度に基づき得る。
【００３８】
実際の実装は、規則、または、同等に表を用いることにより得ることが可能である。ここで、無線デバイスの速度とパケットサイズ（複数のパケットサイズがサポートされる場合）の各組み合わせに対して、送信パラメータとも称される好ましい送信フォーマットが選択される。上述したように、送信フォーマットは、トランスポートブロックサイズ、送信されるパケットのサイズ、変調および符号化、使用される物理リソースの量、再送の数、および／またはアンテナマッピングを含み得る。
【００３９】
複数の表および／または規則は、異なるアプリケーションおよび／またはサービス、並びに異なるキャリア周波数に対して定義され得る。なお、ドップラー拡がりがキャリア周波数にも依存する。追加的に、システム帯域および他のシステムパラメータが、適切な送信フォーマットを選択するための基礎として、表において考慮することができる。平均遅延拡がりといった無線チャネルの測定された広いスケールの特性等の、追加的なパラメータは、規則／表において考慮され得る。
【００４０】
更なる実施形態では、干渉のレベルおよび／またはネットワークにおけるトラフィック負荷は、最も適切な送信フォーマットを選択する際に考慮される。この情報は、再度、例えば無線測定により、送信器において取得される。場合によっては、ネットワークからあらゆる種類のシグナリングを介して取得された情報は、トラフィック負荷のレベルおよび／または干渉を評価するために用いることができる。トラフィック負荷の情報および干渉の情報は、無線デバイスと通信を行う近隣の基地局により受信され得る。
【００４１】
無線デバイス６の実施形態のブロック図を図３に示す。無線デバイス６は、無線デバイス間で相対的な動きがあり得る場合に、無線デバイス６から別の無線デバイスへの通信のための送信フォーマットを選択するように構成される。無線デバイス６は、Ｄ２Ｄまたは無線通信のために使用されるデバイスであり得る。無線デバイス６は、メモリ８とプロセッサ９を含む処理回路７を有する。無線デバイス６はまた、送受信器１０を有する。
【００４２】
メモリ８は、相対速度と好ましい送信フォーマットとの間の相互関係を提供する規則および表１２の少なくともいずれかを格納するように構成される。したがって、例えば、所与の相対速度に対して、特定の好ましい送信フォーマットは、規則または表のエントリーにより示され得る。例えば、第１の無線デバイス６ａと第２の無線デバイス６ｂとの間の相対速度が比較的高い場合、送信フォーマットは、より小さいトランスポートブロックサイズ、より小さいパケットサイズ、または、より低いレベルの変調および符号化、を含み得る。反対に、第１の無線デバイス６ａと第２の無線デバイス６ｂとの間の相対速度が比較的低い場合、送信フォーマットは、より大きいトランスポートブロックサイズ、より大きいパケットサイズ、または、より高いレベルの変調および符号化、を含み得る。
【００４３】
プロセッサ９は、送信フォーマット選択機能を実装するために、メモリ８に格納され得るソフトウェアを実行する。速度決定器１４は、例えば、ＧＰＳや加速度計を介して、無線デバイス６の速度を決定する。相対速度決定器１６は、無線デバイス６ａの速度に基づいて、無線デバイス６ａと別の無線デバイス６ｂとの間の相対速度を決定する。例えば、相対速度は、決定された第１の無線デバイス６の速度に一定の速度が加えられたものであり得る。上述したように、相対速度の決定方法、並びに、オフセットは、送信の種類およびサービスの関数であり得る。例えば、ポイント・ツー・ポイントの手法で第２の無線デバイス６ｂへ送信する際、推定された相対速度は、無線デバイス６の絶対速度に対応し得る。別の例として、ポイント・ツー・マルチポイントの手法で移動無線デバイス６へ送信を行う際、推定された相対速度は、無線デバイス６ａの絶対速度に、他の無線デバイス６の合理的な最大速度を反映したオフセットを加えたもの（足し合わせたもの）に対応し得る。
【００４４】
プロセッサ６はまた、相対速度に基づいて好ましい送信フォーマットを選択する送信フォーマット選択器１８を実装する。選択は、相対速度を送信フォーマットにマッピングする規則、または、相対速度と送信フォーマットの表に従い得る。送受信器１０は、選択された送信フォーマットに従って送信を行う。
【００４５】
述べたように、相対速度は、送信無線デバイスの絶対速度、送信無線デバイス６ａと受信無線デバイス６ｂとの間の速度における差、送信無線デバイス６ａの絶対速度にオフセット値を加えたもの、送信無線デバイス６ａの絶対速度に定数を掛け合わせたもの等のうちの１つとして選択され得る。オフセット値は、受信無線デバイス６ｂの推定速度、基地局４に決定されるような最速の無線デバイス６の推定速度等であり得る。
【００４６】
従来のプロセッサとメモリに加えて、処理回路７は、処理および／制御のための集積回路を含み得る。例えば、１つ以上のプロセッサおよび／またはプロセッサコアおよび／またはＦＧＰＡ（フィールド・プログラマブル・ゲート・アレイ）および／またはＡＳＩＣ（特定用途向け集積回路）を含み得る。処理回路７は、あらゆる種類の揮発性および／または不揮発性のメモリ（例えばキャッシュおよび／またはバッファメモリおよび／またはＲＡＭ（ランダムアクセスメモリ）および／またはＲＯＭ（リードオンリーメモリ）および／または光学メモリおよび／またはＥＰＲＯＭ（消去可能プログラマブルリードオンリーメモリ））を含み得るメモリ８を含む、および／または、それに接続する、および／または、それにアクセスする（例えば書き込みおよび／または読み出しを行う）ように適合され得る。そのようなメモリ８は、制御回路により実行可能なコードおよび／または他のデータ（例えば、通信に関するデータ、例えば設定および／またはノードのアドレス）等を格納するように適合される。処理回路７は、ここに説明した方法のいずれかを制御するように、および／またはそのような方法を、例えば無線デバイス６により実行されるように、構成される。メモリ８において格納され得る対応する命令は、プロセッサ９に読み取り可能、および／または、読み取り可能に接続され得る。すなわち、処理回路７は、マイクロプロセッサおよび／またはマイクロコントローラおよび／またはＦＰＧＡ（フィールド・プログラマブル・ゲート・アレイ）デバイスおよび／またはＡＳＩＣ（特定用途向け集積回路）デバイスを含むコントローラを含み得る。処理回路７は、メモリを含み、またはメモリと接続され、または、接続可能であり、コントローラおよび／または処理回路７により読み出しおよび／または書き込みを行うためにアクセス可能に適合され得る。
【００４７】
図４は、無線デバイス間で相対的な動きがあり得る場合に、無線デバイス２０から別の無線デバイスへの通信のための送信フォーマットを選択するように構成される無線デバイス２０の別の実施形態のブロック図である。無線デバイス２０は、相対速度に基づいて、および、場合によっては将来の送信のためのパケットサイズ、無線デバイス２０上で動作するアプリケーションまたはサービス、および将来の送信のキャリア周波数にも基づいて、送信フォーマットを決定するための規則または表２４を格納するために構成されたメモリモジュール２２を含み得る。無線デバイス２０はまた、プロセッサにより実行された場合に、送信フォーマットを選択するために、ここに説明する機能を実行するソフトウェアモジュールを含み得る。速度決定モジュール２６は、無線デバイス２０の速度を決定するように構成される。相対速度決定器２８は、無線デバイス２０の速度に基づいて、無線デバイス２０と第２の無線デバイスとの間の相対速度を決定する。送信フォーマット選択モジュール３０は、規則および表の少なくとも１つにより、相対速度に基づいて好ましい送信フォーマットを選択するように構成される。プロセッサにより実行されるソフトウェアとして全体においてまたは一部において実装され得る送受信器モジュール３２は、選択された送信フォーマットに従って送信する。
【００４８】
図５は、無線デバイス間の通信のための送信フォーマットを選択するための例示的なプロセスのフローチャートである。プロセスは、第１の無線デバイス６ａの速度を決定することを含む（ブロックＳ１００）。この決定は、例えば、オンボードのＧＰＳまたは加速度計により行われ得る。プロセスはまた、第１の無線デバイス６ａの速度に基づいて、送信フォーマットを選択することを含む（ブロックＳ１０２）。プロセスはまた、オプション的に、選択された送信フォーマットを用いてメッセージおよびデータパケットの１つ以上を送信することを含む（ブロックＳ１０３）。
【００４９】
図６は、無線デバイス間の通信のための送信フォーマットを選択するための例示的なプロセスのより詳細なフローチャートである。第１の無線デバイス６ａの絶対速度は、速度決定器１４により決定される（ブロックＳ１００ａ）。プロセスはまた、送信フォーマット選択器１８を介して、絶対速度に基づいて、送信フォーマットを選択することを含む（ブロックＳ１０２ａ）。プロセスはまた、オプション的に、選択された送信フォーマットを用いてメッセージおよびデータパケットの１つ以上を送信することを含む（ブロックＳ１０３）。
【００５０】
図７は、無線デバイス６間で相対的な動きを有する無線デバイス６の間の通信のための送信フォーマットを選択するための例示的なプロセスのより詳細なフローチャートである。１つ以上の他の無線デバイス６ｂへ送信する第１の無線デバイス６ａの速度は、速度決定器１４により決定される（ブロックＳ１００ｂ）。第１の無線デバイス６ａと第２の無線デバイス６ｂとの間の相対速度は、相対速度決定器１６により、第１の無線デバイス６ａの速度に基づいて決定される。プロセスはまた、送信フォーマット選択器１８を介して、相対速度に基づいて、送信フォーマットを選択することを含む（ブロックＳ１０２ｂ）。プロセスはまた、オプション的に、選択された送信フォーマットを用いてメッセージおよびデータパケットの１つ以上を送信することを含む（ブロックＳ１０３）。上述したように、相対速度は、第１の無線デバイス６ａの速度、または、第１の無線デバイス６ａの速度にオフセットを加えたもの、または、第１の無線デバイス６ａの速度の定数倍に等しいものであり得る。
【００５１】
送信フォーマットの選択を、無線デバイス６ａと別の無線デバイス６ｂとの間の相対速度に基づくものとすることに加えて、またはそれに代えて、送信フォーマットの選択は、将来の送信のパケットサイズ、無線デバイス６ａ上で動作するアプリケーションまたはサービス、および／または、無線デバイス６ａによる将来の送信のキャリア周波数に基づき得る。例えば、送信フォーマットがパケットサイズに基づく場合、例えば、より大きいパケットサイズにより、トランスポートブロックサイズは大きくなり、変調および符号化のレベルは高くなる。同様に、ビデオと音声の組み合わせ等のいくつかのアプリケーションは、時間と帯域等のより大きい物理リソースを必要とし得る。更に、いくつかの実施形態では、キャリア周波数が高くなるにつれて、変調および符号化のレベルは低くなる。
【００５２】
したがって、いくつかの実施形態は、場合によっては、他のパラメータから、送信器の速度または同等の移動メトリックを考慮して、無線デバイスに対する開ループリンクアダプテーションを適合化する。
【００５３】
実施形態によれば、第１の無線デバイスと第２の無線デバイスの間等の無線デバイスの間の相対的な動きが存在する場合に、無線デバイス間のブロードキャストおよび通信のうちの１つのための送信フォーマットを選択するための方法およびデバイスが有利に提供される。１つの観点によれば、実施形態は、第１の無線デバイスの速度を決定することと、第１の無線デバイスの速度に基づいて第１の無線デバイスと第２の無線デバイスの間の相対速度を決定することと、規則または表のうちの少なくとも一方により、相対速度に基づいて、送信フォーマットを選択することを提供する。
【００５４】
この観点によれば、いくつかの実施形態において、方法は更に、選択した送信フォーマットを用いてメッセージおよびデータパケットを通信またはブロードキャストすることを含む。いくつかの実施形態では、相対速度は、第１の無線デバイスの速度である。いくつかの実施形態では、相対速度は、第１の無線デバイスの速度にオフセット速度を加えたものである。いくつかの実施形態では、相対速度は、第１の無線デバイスの速度の定数倍である。いくつかの実施形態では、送信フォーマットは、将来の送信のパケットサイズに更に基づく。いくつかの実施形態では、送信フォーマットは、第１の無線デバイスにより提供されるアプリケーションまたはサービスに更に基づく。いくつかの実施形態では、送信フォーマットは、第１の無線デバイスのキャリア周波数に更に基づく。いくつかの実施形態では、送信フォーマットは、第１の無線デバイス、第１の無線デバイスに無線測定（値）を報告する第２の無線デバイス以外の別の無線デバイスの一方により直接的に取得された無線測定（値）に更に基づく。
【００５５】
別の観点によれば、いくつかの実施形態は、第１の無線デバイスから第２の無線デバイスへブロードキャストまたは通信するために送信フォーマットを選択するように構成された第１の無線デバイスを提供する。無線デバイスは、メモリとプロセッサを含む処理回路を有する。メモリは、相対速度と送信フォーマットとの間の相互関係を提供する規則および表の少なくともいずれかを格納するように構成される。プロセッサは、第１の無線デバイスの速度を決定すること、第１の無線デバイスの速度に基づいて第１の無線デバイスと第２の無線デバイスの間の相対速度を決定すること、規則または表のうちの少なくとも一方により、相対速度に基づいて、送信フォーマットを選択するように構成される。いくつかの実施形態では、プロセッサは更に、選択された送信フォーマットを用いてメッセージまたはデータパケットをブロードキャストするように構成される。この観点のいくつかの実施形態では、相対速度は、第１の無線デバイスの速度である。この観点のいくつかの実施形態では、相対速度は、第１の無線デバイスの速度にオフセット速度を加えたものである。この観点のいくつかの実施形態では、相対速度は、定数に第１の無線デバイスの速度を掛け合わせたものである。この観点のいくつかの実施形態では、好ましい送信フォーマットは、将来の送信のパケットサイズに更に基づく。この観点のいくつかの実施形態では、送信フォーマットは、第１の無線デバイスにより提供されるアプリケーションまたはサービスに更に基づく。この観点のいくつかの実施形態では、好ましい送信フォーマットは、第１の無線デバイスのキャリア周波数に更に基づく。いくつかの実施形態では、送信フォーマットは、第１の無線デバイス、第１の無線デバイスに無線測定（値）を報告する第２の無線デバイス以外の別の無線デバイスの一方により直接的に取得された無線測定（値）に更に基づく。
【００５６】
更に別の観点によれば、いくつかの実施形態は、第１の無線デバイスから第２の無線デバイスへブロードキャストまたは通信するために送信フォーマットを選択するように構成された第１の無線デバイスを提供する。第１の無線デバイスは、第１の無線デバイスの速度を決定するように構成された速度決定モジュールと、第１の無線デバイスの速度に基づいて第１の無線デバイスと第２の無線デバイスの間の相対速度を決定するように構成された相対速度決定モジュールと、規則または表のうちの少なくとも一方により、相対速度に基づいて、送信フォーマットを選択するように構成された送信フォーマット選択モジュールを含む。
【００５７】
いくつかの他の実施形態は、以下の通りである。
実施形態１：第１の無線デバイスと第２の無線デバイスとの間の相対的な動きが存在する場合に、該第１の無線デバイスと該第２の無線デバイスの間でブロードキャストまたは通信するために送信フォーマットを選択する方法であって、
第１の無線デバイスの速度を決定することと、
該第１の無線デバイスの該決定した速度に基づいて、該第１の無線デバイスと該第２の無線デバイスとの間の相対速度を決定することと、
規則および表の少なくとも１つにより、該相対速度に基づいて送信フォーマットを選択すること、を含む。
【００５８】
実施形態２：実施形態１の方法は、更に、選択された送信フォーマットを用いて、メッセージまたはデータパケットを通信またはブロードキャストすることを含む。
【００５９】
実施形態３：実施形態１の方法において、該相対速度は、該第１の無線デバイスの速度、すなわち、該第１の無線デバイスの絶対速度である。
【００６０】
実施形態４：実施形態１の方法において、該相対速度は、該第１の無線デバイスの速度にオフセット速度を加えたものである。 
【００６１】
実施形態５：実施形態１の方法において、該相対速度は、定数に該第１の無線デバイスの速度を掛け合わせたものである。 
【００６２】
実施形態６：実施形態１の方法において、該送信フォーマットは、将来の送信のパケットサイズに更に基づく。
【００６３】
実施形態７：実施形態１の方法において、該送信フォーマットは、該第１の無線デバイスにより提供されるアプリケーションまたはサービスに更に基づく。
【００６４】
実施形態８：実施形態１の方法において、該送信フォーマットは、該第１の無線デバイスのキャリア周波数に更に基づく。
【００６５】
実施形態９：実施形態１の方法において、該送信フォーマットは、該第１の無線デバイスと、該第１の無線デバイスに無線測定（値）を報告する該第２の無線デバイス以外の別の無線デバイスの一方により直接的に取得された無線測定（値）に更に基づく。
【００６６】
実施形態１０：第１の無線デバイスから第２の無線デバイスへブロードキャストまたは通信するために送信フォーマットを選択するように構成された第１の無線デバイスは、
メモリとプロセッサを含む処理回路を有し、
該メモリは、相対速度と送信フォーマットとの間の相互関係を提供する規則および表の少なくともいずれかを格納するように構成され、
該プロセッサは、
該第１の無線デバイスの速度を決定し、
該第１の無線デバイスの速度に基づいて、該第１の無線デバイスと該第２の無線デバイスとの間の相対速度を決定し、
規則および表の少なくとも１つにより、該相対速度に基づいて送信フォーマットを選択するように構成される。
【００６７】
実施形態１１：実施形態１０の第１の無線デバイスにおいて、該プロセッサは更に、選択された送信フォーマットを用いて、メッセージまたはデータパケットを、通信またはブロードキャストするように構成される。
【００６８】
実施形態１２：実施形態１０の第１の無線デバイスにおいて、該相対速度は、第１の無線デバイスの速度である。
【００６９】
実施形態１３；実施形態１０の第１の無線デバイスにおいて、該相対速度は、第１の無線デバイス速度にオフセット速度を加えたものである。 
【００７０】
実施形態１４：実施形態１０の第１の無線デバイスにおいて、該相対速度は、定数にがう第１の無線デバイスの速度を掛け合わせたものである。 
【００７１】
実施形態１５：実施形態１０の第１の無線デバイスにおいて、該送信フォーマットは、将来の送信のパケットサイズに更に基づく。
【００７２】
実施形態１６：実施形態１０の第１の無線デバイスにおいて、該送信フォーマットは、該第１の無線デバイスにより提供されるアプリケーションまたはサービスに更に基づく。
【００７３】
実施形態１７：実施形態１０の第１の無線デバイスにおいて、該送信フォーマットは、該第１の無線デバイスのキャリア周波数に更に基づく。
【００７４】
実施形態１８：実施形態１０の第１の無線デバイスにおいて、該送信フォーマットは、該第１の無線デバイスと、該第１の無線デバイスに無線測定（値）を報告する該第２の無線デバイス以外の別の無線デバイスの一方により直接的に取得された無線測定（値）に更に基づく。
【００７５】
実施形態１９：第１の無線デバイスから第２の無線デバイスへブロードキャストまたは通信するために送信フォーマットを選択するように構成された第１の無線デバイスは、
該第１の無線デバイスの速度を決定するように構成された速度決定モジュールと、
該第１の無線デバイスの速度に基づいて、該第１の無線デバイスと該第２の無線デバイスとの間の相対速度を決定するように構成された相対速度決定モジュールと、
規則および表の少なくとも１つにより、相対速度に基づいて送信フォーマットを選択するように構成された送信フォーマット選択モジュールを有する。
【００７６】
したがって、いくつかの実施形態は、無線通信ネットワークにおいて第１の無線デバイスの送信フォーマットを選択するための方法およびシステムを有利に提供する。１つの観点によれば、第１の無線デバイスの送信フォーマットを選択するための無線デバイスにおいて使用されるための方法は、第１の無線デバイス６ａの速度を決定すること、第１の無線デバイス６ａの速度に基づいて送信フォーマットを選択すること、を含む。
【００７７】
この観点によれば、いくつかの実施形態において、方法は更に、少なくとも第１の無線デバイス６ｂまたはネットワークノードに対して、選択された送信フォーマットを用いてメッセージまたはデータパケットを送信することを含む。いくつかの実施形態では、送信することは、通信すること、ブロードキャストすること、直接通信することを含む。例えばここで、通信することは、直接通信すること、Ｄ２Ｄ通信ネットワークにおいて直接メッセージを送信することである。いくつかの実施形態では、第１の無線デバイス６ａの速度は、第１の無線デバイス６ａの絶対速度である。いくつかの実施形態では、第１の無線デバイス６ａの速度に基づいて送信フォーマットを選択することは、第１の無線デバイス６ａの絶対速度に基づいて送信フォーマットを選択することを含む。いくつかの実施形態では、方法は更に、第１の無線デバイス６ａと、第１の無線デバイス６ａが第１の無線デバイス６ａの決定された速度に基づいて通信する第２の無線デバイス６ｂとの間の相対速度を決定することを含む。いくつかの実施形態では、第１の無線デバイス６ａの速度に基づいて送信フォーマットを選択することは、相対速度に基づいて送信フォーマットを選択することを含む。いくつかの実施形態では、決定された相対速度は、第１の無線デバイス６ａの速度にオフセット速度を加えたものである。いくつかの実施形態では、決定された相対速度は、定数に第１の無線デバイス６ａの速度を掛け合わせたものである。いくつかの実施形態では、相対速度の決定は、送信の種類に依存する。いくつかの実施形態では、送信の種類がポイント・ツー・マルチポイント送信である場合、相対速度の決定は、第１の無線デバイス６ａに、第２の無線デバイス６ｂを含む１つ以上の他の無線デバイスの所定の速度に基づくオフセットを加えたものに対応する。いくつかの実施形態では、送信フォーマットの選択は、第１の無線デバイス６ａにより提供されるアプリケーションまたはサービスに更に基づく。いくつかの実施形態では、送信フォーマットは、規則または表の少なくともいずれか一方により選択される。いくつかの実施形態では、送信フォーマットの選択は、将来の送信のパケットサイズに更に基づく。いくつかの実施形態では、送信フォーマットの選択は、第１の無線デバイス６ａのキャリア周波数に更に基づく。いくつかの実施形態では、送信フォーマットの選択は、第１の無線デバイス６ａと、第１の無線デバイス６ａが通信する、第２の無線デバイス以外の第３の無線デバイスの一方により直接的に得られた無線測定（値）に更に基づく。いくつかの実施形態では、選択された送信フォーマットは、トランスポートブロックサイズ、送信されるパケットのサイズ、変調および符号化方法（ＭＣＳ）、物理リソースの量、リソースブロック（ＲＢ）の数、送信サブフレームの数、再送の数、およびアンテナマッピング、のうちの少なくとも１つである。いくつかの実施形態では、第１の無線デバイス６ａは、車両、車両の一部、および車両におけるもの、のいずれか１つである。いくつかの実施形態では、無線通信ネットワークは、デバイス間（Ｄ２Ｄ）通信ネットワークである。
【００７８】
更に別の観点によれば、無線通信ネットワークにおいて使用するための第１の無線デバイス６ａであって、送信フォーマットを選択するように構成された第１の無線デバイス６ａが提供される。第１の無線デバイス６ａは、メモリとプロセッサを含む処理回路を有する。メモリは、送信フォーマットを格納するように構成される。処理回路、または、処理回路のプロセッサは、第１の無線デバイス６ａの速度を決定し、第１の無線デバイス６ａの速度に基づいて、第１の無線デバイス６ａに対する送信フォーマットを選択するように構成される。
【００７９】
この観点によれば、いくつかの実施形態では、送信器は、選択された送信フォーマットを用いてメッセージまたはデータパケットを送信するように構成される。いくつかの実施形態では、送信器は、選択された送信フォーマットを用いて、少なくとも第２の無線デバイス６ｂに対して、メッセージまたはデータパケットを送信するように構成される。いくつかの実施形態では、第１の無線デバイス６ａの速度は、第１の無線デバイス６ａの絶対速度である。いくつかの実施形態では、第１の無線デバイス６ａの速度に基づいて送信フォーマットを選択することは、第１の無線デバイス６ａの絶対速度に基づいて送信フォーマットを選択することを含む。いくつかの実施形態では、処理回路、または処理回路のプロセッサは、第１の無線デバイス６ａと、第１の無線デバイス６ａが第１の無線デバイス６ａの速度に基づいて通信する第２の無線デバイス６ｂとの間の相対速度を決定するように更に構成される。いくつかの実施形態では、第１の無線デバイス６ａの速度に基づいて送信フォーマットを選択することは、相対速度に基づいて送信フォーマットを選択することを含む。いくつかの実施形態では、相対速度は、第１の無線デバイス６ａの速度にオフセット速度を加えたものである。いくつかの実施形態では、相対速度は、定数に第１の無線デバイス６ａの速度を掛け合わせたものである。いくつかの実施形態では、相対速度の決定は、送信の種類に依存する。いくつかの実施形態では、送信の種類がポイント・ツー・マルチポイント送信である場合、相対速度の決定は、第１の無線デバイス６ａに、少なくとも第２の無線デバイス６ｂの所定の速度に基づくオフセットを加えたものに対応する。ここで、第２の無線デバイス６ｂの所定の速度は、第２の無線デバイス６ｂの所定の最大速度である。いくつかの実施形態では、送信フォーマットの選択は、第１の無線デバイス６ａにより提供されるアプリケーションまたはサービスに更に基づく。いくつかの実施形態では、送信フォーマットは、規則または表の少なくともいずれか一方により選択される。いくつかの実施形態では、送信フォーマットの選択は、将来の送信のパケットサイズに更に基づく。いくつかの実施形態では、送信フォーマットの選択は、第１の無線デバイス６ａのキャリア周波数に更に基づく。いくつかの実施形態では、送信フォーマットの選択は、第１の無線デバイス６ａと、第１の無線デバイス６ａが通信する第２の無線デバイス以外の第３の無線デバイスの一方により直接的に得られた無線測定（値）に更に基づく。いくつかの実施形態では、選択された送信フォーマットは、トランスポートブロックサイズ、送信されるパケットのサイズ、変調および符号化方法、物理リソースの量、リソースブロックの数、送信サブフレームの数、再送の数、およびアンテナマッピング、のうちの少なくとも１つである。いくつかの実施形態では、無線通信ネットワークは、デバイス間（Ｄ２Ｄ）通信ネットワークである。
【００８０】
更に別の観点によれば、無線通信ネットワークにおいて使用するための第１の無線デバイス６ａであって、送信フォーマットを選択するように構成された第１の無線デバイスが提供される。第１の無線デバイス６ａは、無線デバイス６ａの速度を決定するように構成された速度決定モジュールと、第１の無線デバイス６ａの速度に基づいて送信フォーマットを選択するように構成された送信フォーマット選択モジュールを有する。
【００８１】
この観点によれば、第１の無線デバイスの速度に基づいて送信フォーマットを選択することは、第１の無線デバイスの絶対速度に基づいて送信フォーマットを選択することを含む。
【００８２】
この観点に更によれば、いくつかの実施形態では、第１の無線デバイス６ａは、第１の無線デバイス６ａと、第１の無線デバイス６ａが第１の無線デバイス６ａの速度に基づいて通信する第２の無線デバイス６ｂとの間の相対速度を決定するように構成された相対速度決定モジュールを有する。いくつかの実施形態では、第１の無線デバイス６ａの速度に基づいて送信フォーマットを選択することは、相対速度に基づいて送信フォーマットを選択することを含む。いくつかの実施形態では、無線通信ネットワークは、デバイス間（Ｄ２Ｄ）通信ネットワークである。
【００８３】
当業者により理解されるように、ここに説明した概念は、方法、データ処理システム、および／または、コンピュータプログラム製品として具現化され得る。したがって、ここに説明した概念は、全体にハードウェアの実施形態、全体的にソフトウェアの実施形態、または、「回路」または「モジュール」としてここでは全て一般的に称されるソフトウェアとハードウェアの観点を組み合わせた実施形態をとりうる。更に、本開示は、コンピュータにより実行可能な、媒体に具現化されるコンピュータプログラムコードを有する有形のコンピュータ利用可能な記憶媒体におけるコンピュータプログラム製品の形態をとり得る。あらゆる適切な有形なコンピュータ読み取り可能な媒体は、ハードディスク、ＣＤ−ＲＯＭ、電子記憶装置、光学記憶装置、または磁気記憶装置を含んで利用され得る。
【００８４】
いくつかの実施形態は、フローチャートの図、および／または、方法のブロック図、システムおよびコンピュータプログラム製品を参照してここに説明された。フローチャートの図の各ブロック、および／または、ブロック図、およびフローチャートの図および／またはブロック図におけるブロックに組み合わせは、コンピュータプログラムの命令により実装することができることが理解されるだろう。これらのコンピュータプログラムの命令は、汎用コンピュータ（それにより特定用途のコンピュータを作成する）、特定用途のコンピュータ、または、マシーンを生成するための他のプログラマブルデータ処理装置に提供され、当該命令は、コンピュータのプロセッサまたは他のプログラマブルデータ処理装置を介して実行され、フローチャートおよび／またはブロック図のブロックにおいて特定される機能／アクションを実行するための手段を生成する。
【００８５】
コンピュータまたは他のプログラマブルデータ処理装置を特定の手法で機能させる、これらのコンピュータプログラムの命令はまた、コンピュータ読み取り可能なメモリまたは記憶媒体に格納され得る。コンピュータ読み取り可能なメモリに格納された当該命令は、フローチャートおよび／またはブロック図のブロックにおいて特定される機能／アクションを実行する命令手段を含む製品を生成する。
【００８６】
コンピュータプログラムの命令はまた、コンピュータまたは他のプログラマブルデータ処理装置にロードされ、コンピュータまたは他のプログラマブルデータ処理装置において実行される一連の動作ステップを実行させ、コンピュータ実装のプロセスを生成する。当該命令は、コンピュータまたはプログラマブルデータ処理装置において実行され、フローチャートおよび／またはブロック図のブロックにおいて特定される機能／アクションを実行するためのステップを提供する。
【００８７】
ブロックにおいて示される機能／アクションは、動作の図において示された順序を外れて起こり得ることが理解されるだろう。例えば、連続で示される２つのブロックは、実際には、実質的に同時に実行され得る。または、ブロックは、含まれる機能性／アクションに依存して、ときに、逆の順序で実行され得る。図のいくつかは、通信の主たる方向を示すために通信パス上での矢印を含むが、通信は、示された方向と逆の方向で起こり得ることが理解されるだろう。
【００８８】
ここに説明した概念の動作を実行するためのコンピュータプログラムは、Ｊａｖａ（登録商標）またはＣ＋＋等のオブジェクト指向のプログラム言語で書かれ得る。しかしながら、本開示の動作を実行するためのコンピュータプログラムコードはまた、「Ｃ」プログラム言語等の従来の手続き型プログラム言語で書かれ得る。プログラムコードは、スタンドアローンのソフトウェアパッケージとして、全体的にユーザのコンピュータで、部分的にユーザのコンピュータで、または、部分的にユーザのコンピュータと部分的に遠隔のコンピュータで、または、全体に遠隔のコンピュータで実行され得る。後者のシナリオでは、遠隔のコンピュータは、ローカルエリアネットワーク（ＬＡＮ）または広域ネットワーク（ＷＡＮ）を介して、ユーザのコンピュータと接続される。または、接続は、外部のコンピュータ（例えば、インターネットサービスプロバイダを用いたインターネットを介して）に対して行われ得る。
【００８９】
上述の説明と図を参照して、多くの異なる実施形態をここに開示している。これらの実施形態の全ての組み合わせおよびサブコンビネーションを文字通りに説明し図示することは、過度な繰り返しおよび曖昧となることが理解されるだろう。したがって、全ての実施形態は、あらゆる方法および／または組み合わせで組み合わせることができ、図を含む本明細書は、ここに説明した実施形態の全て、および、手法と製法および使用法の、組み合わせおよびサブコンビネーションの完全な説明書を構成すると解釈され、あらゆるそのような組み合わせまたはサブコンビネーションに対するクレームをサポートする。
【００９０】
当業者であれば、ここに説明した実施形態は、特定に示したもの、および、上記に説明したものに限定されない。加えて、記載が上記と反対のものに対してなされない限り、付随の図面の全てはスケーリングされないことに注意すべきである。修正および変形のバリエーションが、以下のクレームの範囲から逸脱せずに、上記の教示の観点に照らして、可能である。
【図１】
2018528704.tif 000003
【図２】
2018528704.tif 000004
【図３】
2018528704.tif 000005
【図４】
2018528704.tif 000006
【図５】
2018528704.tif 000007
【図６】
2018528704.tif 000008
【図７】
2018528704.tif 000009
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
無線通信ネットワークにおいて第１の無線デバイス（６ａ）の送信フォーマットを選択する無線デバイスにおいて使用される方法であって、
前記第１の無線デバイス（６ａ）の速度を決定すること（Ｓ１００）と、
前記第１の無線デバイス（６ａ）の前記速度に基づいて、前記第１の無線デバイス（６ａ）に対する送信フォーマットを選択すること（Ｓ１０２）、を含む、方法。
【請求項２】
前記選択された送信フォーマットを用いてメッセージまたはデータパケットを送信すること（Ｓ１０３）、を更に含む請求項１に記載の方法。
【請求項３】
前記送信すること（Ｓ１０３）は、通信すること、ブロードキャストすること、および、直接通信すること、のいずれか１つである、請求項２に記載の方法。
【請求項４】
前記第１の無線デバイス（６ａ）の前記速度は、前記第１の無線デバイス（６ａ）の絶対速度である、請求項１に記載の方法。
【請求項５】
前記第１の無線デバイス（６ａ）の前記速度に基づいて送信フォーマットを選択すること（Ｓ１０２ａ）は、前記第１の無線デバイス（６ａ）の前記絶対速度に基づいて送信フォーマットを選択することを含む、請求項１から４のいずれか１項に記載の方法。
【請求項６】
前記第１の無線デバイス（６ａ）の前記決定した（Ｓ１００ｂ）速度に基づいて、前記第１の無線デバイス（６ａ）と第２の無線デバイス（６ｂ）との間の相対速度を決定すること（Ｓ１０１）を更に含む、請求項１から３のいずれか１項に記載の方法。 
【請求項７】
前記第１の無線デバイス（６ａ）の前記速度に基づいて送信フォーマットを選択すること（Ｓ１０２ｂ）は、前記相対速度に基づいて送信フォーマットを選択することを含む、請求項６に記載の方法。
【請求項８】
前記決定された（Ｓ１０１ａ）相対速度は、前記第１の無線デバイス（６ａ）の前記速度にオフセット速度を加えたものである、請求項６または７に記載の方法。
【請求項９】
前記決定された（Ｓ１０１ｂ）相対速度は、定数に前記第１の無線デバイス（６ａ）の前記速度を掛け合わせたものである、請求項６または７に記載の方法。
【請求項１０】
前記相対速度の決定（Ｓ１０１ｃ）は、送信の種類に依存する、請求項６または７に記載の方法。
【請求項１１】
前記送信の種類がポイント・ツー・マルチポイント送信である場合、前記相対速度の決定（Ｓ１０１ｃ）は、前記第１の無線デバイス（６ａ）の速度に、前記第２の無線デバイス（６ｂ）を含む１つ以上の他の無線デバイスの所定の速度に基づくオフセットを加えたものに対応する、請求項１０に記載の方法。
【請求項１２】
無線通信ネットワークにおいて使用するための第１の無線デバイスであって、前記第１の無線デバイス（６ａ）は送信フォーマットを選択するように構成され、
前記第１の無線デバイス（６ａ）の速度を決定し、
前記第１の無線デバイス（６ａ）の前記速度に基づいて、前記第１の無線デバイス（６ａ）に対する送信フォーマットを選択する、
ように構成された処理回路（７）を有する、第１の無線デバイス。
【請求項１３】
前記選択された送信フォーマットを用いてメッセージまたはデータパケットを送信するように構成された送信器（１０ａ−１）を更に有する、請求項１２に記載の第１の無線デバイス。
【請求項１４】
前記第１の無線デバイス（６ａ）の前記速度は、前記第１の無線デバイス（６ａ）の絶対速度である、請求項１３に記載の第１の無線デバイス。
【請求項１５】
前記第１の無線デバイス（６ａ）の前記速度に基づいて送信フォーマットを選択することは、前記第１の無線デバイス（６ａ）の絶対速度に基づいて送信フォーマットを選択することを含む、請求項１２から１４のいずれか１項に記載の第１の無線デバイス。
【請求項１６】
前記処理回路（７）は、前記第１の無線デバイス（６ａ）と、前記第１の無線デバイス（６ａ）が前記第１の無線デバイス（６ａ）の前記速度に基づいて通信する第２の無線デバイス（６ｂ）との間の相対速度を決定するように更に構成される、請求項１２または１３に記載の第１の無線デバイス。
【請求項１７】
前記第１の無線デバイス（６ａ）の前記速度に基づいて送信フォーマットを選択することは、前記相対速度に基づいて送信フォーマットを選択することを含む、請求項１６に記載の第１の無線デバイス。
【請求項１８】
前記相対速度は、前記第１の無線デバイス（６ａ）の前記速度にオフセット速度を加えたものである、請求項１６または１７に記載の第１の無線デバイス。 
【請求項１９】
前記相対速度は、定数に前記第１の無線デバイス（６ａ）の前記速度を掛け合わせたものである、請求項１６または１７に記載の第１の無線デバイス。
【請求項２０】
前記相対速度の決定は、送信の種類に依存する、請求項１６または１７に記載の第１の無線デバイス。
【請求項２１】
前記送信の種類がポイント・ツー・マルチポイント送信である場合、前記相対速度の決定は、前記第１の無線デバイス（６ａ）に、少なくとも第２の無線デバイス（６ｂ）の所定の最大速度に基づくオフセットを加えたものに対応する、請求項２０に記載の第１の無線デバイス。
【請求項２２】
前記送信フォーマットの前記選択は、前記第１の無線デバイス（６ａ）により提供されるアプリケーションまたはサービスに更に基づく、請求項１２から２１のいずれか１項に記載の第１の無線デバイス。
【国際調査報告】
2018528704.tif 000010
2018528704.tif 000011